(57)【特許請求の範囲】
【請求項１】
棹石を重ねるこの下の下段の石の上部中心に縦溝を形成し、この縦溝を囲む下段の石の上面に複数のスペーサーを取付けると共に、下段の石の上に重ねられる棹石の底部中心に前記縦溝と対向して連通する縦溝を形成し、長さが前記両縦溝の合計の深さより短かく、中間部に嵌合溝を設けた金属製連結棒の嵌合溝が下段の石の上面に位置するように、連結棒の下部側を下段の石の縦溝に挿着して接着剤で固定し、上部を閉塞し下部を開口すると共に、前記嵌合溝と対向する壁面にスリットを形成した筒状のキャップを、前記棹石に形成した縦溝の内側に接着剤で固定し、このキャップの内側に、下段の石の上面から突出した連結棒の上部側を着脱自在に挿着し、下段の石とスペーサーを介して重ねた棹石の隙間から前記キャップに形成したスリットを通して金属板で形成された板状のストッパーを挿入して、このストッパーを連結棒の嵌合溝に着脱自在に嵌合したことを特徴とする耐震墓構造。
【請求項２】
下段の石が上台または蓮華若しくはスリンで形成されていることを特徴とする請求項１記載の耐震墓構造。
【請求項３】
金属製の連結棒の上部側外周と筒状のキャップの内周との間に弾性材リングを取付けたことを特徴とする請求項１記載の耐震墓構造。
【請求項４】
板状のストッパーが、その長手方向に沿った片側にＵ形の溝を形成したことを特徴とする請求項１記載の耐震墓構造。
【請求項５】
（１）下段の石の上に棹石を重ねた耐震墓構造の組立て方法において、下段の石の上部中心に縦溝を形成し、この縦溝を囲む下段の石の上面に複数のスペーサーを取付けると共に、下段の石の上に重ねられる棹石の底部中心に前記縦溝と対向して連通する縦溝を形成し、
（２）下段の石の縦溝に接着剤を充填して、長さが前記両縦溝の合計の深さより短かく、中間部に嵌合溝を設けた金属製の連結棒を、前記嵌合溝が下段の石の上面に位置するように、連結棒の下部側を前記縦溝内に挿着して接着剤で固定し、
（３）この連結棒の上部側から中間部を囲むように、上部を閉塞し下部を開口すると共に、前記嵌合溝と対向する壁面にスリットを形成した筒状のキャップを被せ、
（４）次いでキャップのスリットを通して、ストッパーを連結棒の嵌合溝に着脱自在に嵌合して、連結棒とキャップを連結し、
（５）次いで、キャップの上部に接着剤を入れた破損可能な容器を載せるか、または棹石の前記縦溝の上部に接着剤を充填し、
（６）次に、棹石に形成した縦溝の内側に、前記接着剤容器を載せた筒状のキャップをその上部側から挿入して棹石を下降させるか、またはキャップの上部側から挿入して、縦溝に接着剤を充填した棹石を下降させて、下段の石の上に重ね、この過程で接着剤が押出されて棹石の縦溝とキャップとの間の隙間に充填されてキャップを固定することを特徴とする耐震墓構造の組立て方法。
【請求項６】
下段の石が上台または蓮華若しくはスリンで形成されていることを特徴とする請求項５記載の耐震墓構造の組立て方法。
【請求項７】
連結棒の中間部に形成した嵌合溝の下部側に、外径がキャップの外径とぼぼ同じ大径部を形成し、この大径部の上面を、前記キャップの底部を位置決めする段部としたことを特徴とする請求項５記載の耐震墓構造の組立て方法。
【請求項８】
連結棒の底部に、高さ調整用のアジャスターが取付けられていることを特徴とする請求項５記載の耐震墓構造の組立て方法。
【発明の詳細な説明】
【技術分野】
【０００１】
本発明は、耐震墓構造およびその組立て方法に関するものである。
【背景技術】
【０００２】
一般に墓石の構造は、芝台（下台）の上に、中台を重ね、この上に上台を重ね、一番上に棹石を重ねた構造や、上台の上に蓮華やスリンを介して棹石を重ねた構造となっている。この構造では、夫々別個に加工したものを単に積み重ねたものであるため、大きな地震が発生すると、重心の高い棹石が動いたり転倒することがあった。
【０００３】
このため、上台の上部中心に縦溝を形成し、この上に重ねられる棹石の底部中心に前記縦溝と対向してこれと連通する縦溝を形成し、上台の縦溝に金属製連結棒の下部側を挿着して接着剤で固定し、棹石の縦溝内に接着剤を充填したり、連結棒に塗布してから、棹石の縦溝の内側に連結棒をその上部側から挿入し、棹石を下降させて上台の上に重ねて、上台と棹石を連結棒で連結して、地震の揺れに対して棹石の倒壊を防止していた（例えば特許文献１）。
【０００４】
この耐震構造では、上台の縦溝はその上面に、上方に向かって開口しているので、接着剤を充填して連結棒の下部側を確実に固定することができるが、上台の上に重ねられる棹石の縦溝は、その底面に下方に向かって開口しているので、接着剤を充填しても自重により流れ出してしまい、連結棒の上部側に塗布しても十分に隙間を埋められず棹石を確実に固定することができなかった。
【０００５】
また従来の耐震構造では、接着剤で固定してしまうので、石材店で墓石を展示する場合には固定できず、展示している間に地震が発生すると、棹石が倒壊してしまう問題があった。また墓地に一旦、設置した後、墓石を移転するような場合にも、棹石と上台が接合されて分解できないので、全体をそのまま運搬しなければならず大型の墓石の場合には、移転は極めて困難であった。また設置した後に、上台の上に蓮華やスリンを加える変更や、棹石の交換などを行なうことができなかった。
【特許文献１】実用新案登録第３０３１７４９号公報
【発明の開示】
【発明が解決しようとする課題】
【０００６】
本発明は上記問題点を改善し、棹石とこの下の下段の石を連結棒とストッパーで確実に連結した簡単な構造により、地震の縦揺れや横揺れに対する耐震性を高めると共に、分解が容易で簡単に移動や交換、組合わせの変更をすることができ、特に石材店で墓石を展示する場合や、一旦、設置した後、別の墓地に移転する場合にも好適な耐震墓構造およびその組立て方法を提供するものである。
【課題を解決するための手段】
【０００７】
本発明の請求項１記載の耐震墓構造は、棹石を重ねるこの下の下段の石の上部中心に縦溝を形成し、この縦溝を囲む下段の石の上面に複数のスペーサーを取付けると共に、下段の石の上に重ねられる棹石の底部中心に前記縦溝と対向して連通する縦溝を形成し、長さが前記両縦溝の合計の深さより短かく、中間部に嵌合溝を設けた金属製連結棒の嵌合溝が下段の石の上面に位置するように、連結棒の下部側を下段の石の縦溝に挿着して接着剤で固定し、上部を閉塞し下部を開口すると共に、前記嵌合溝と対向する壁面にスリットを形成した筒状のキャップを、前記棹石に形成した縦溝の内側に接着剤で固定し、このキャップの内側に、下段の石の上面から突出した連結棒の上部側を着脱自在に挿着し、下段の石とスペーサーを介して重ねた棹石の隙間から前記キャップに形成したスリットを通して金属板で形成された板状のストッパーを挿入して、このストッパーを連結棒の嵌合溝に着脱自在に嵌合したことを特徴とするものである。
【０００８】
請求項２記載の耐震墓構造は、請求項１において、下段の石が上台または蓮華若しくはスリンで形成されていることを特徴とするものである。
【０００９】
請求項３記載の耐震墓構造は、請求項１において、金属製の連結棒の上部側外周と筒状のキャップの内周との間に弾性材リングを取付けたことを特徴とするものである。
【００１０】
請求項４記載の耐震墓構造は、請求項１において、板状のストッパーが、その長手方向に沿った片側にＵ形の溝を形成したことを特徴とするものである。
【００１１】
請求項５記載の耐震墓構造の組立て方法は、（１）下段の石の上に棹石を重ねた耐震墓構造の組立て方法において、下段の石の上部中心に縦溝を形成し、この縦溝を囲む下段の石の上面に複数のスペーサーを取付けると共に、下段の石の上に重ねられる棹石の底部中心に前記縦溝と対向して連通する縦溝を形成し、（２）下段の石の縦溝に接着剤を充填して、長さが前記両縦溝の合計の深さより短かく、中間部に嵌合溝を設けた金属製の連結棒を、前記嵌合溝が下段の石の上面に位置するように、連結棒の下部側を前記縦溝内に挿着して接着剤で固定し、（３）この連結棒の上部側から中間部を囲むように、上部を閉塞し下部を開口すると共に、前記嵌合溝と対向する壁面にスリットを形成した筒状のキャップを被せ、（４）次いでキャップのスリットを通して、ストッパーを連結棒の嵌合溝に着脱自在に嵌合して、連結棒とキャップを連結し、（５）次いで、キャップの上部に接着剤を入れた破損可能な容器を載せるか、または棹石の前記縦溝の上部に接着剤を充填し、（６）次に、棹石に形成した縦溝の内側に、前記接着剤容器を載せた筒状のキャップをその上部側から挿入して棹石を下降させるか、またはキャップの上部側から挿入して、縦溝に接着剤を充填した棹石を下降させて、下段の石の上に重ね、この過程で接着剤が押出されて棹石の縦溝とキャップとの間の隙間に充填されてキャップを固定することを特徴とするものである。
【００１２】
請求項６記載の耐震墓構造の組立て方法は、請求項５において、下段の石が上台または蓮華若しくはスリンで形成されていることを特徴とするものである。
【００１３】
請求項７記載の耐震墓構造の組立て方法は、請求項５において、連結棒の中間部に形成した嵌合溝の下部側に、外径がキャップの外径とぼぼ同じ大径部を形成し、この大径部の上面を、前記キャップの底部を位置決めする段部としたことを特徴とするものである。
【００１４】
請求項８記載の耐震墓構造の組立て方法は、請求項５において、連結棒の底部に、高さ調整用のアジャスターが取付けられていることを特徴とするものである。
【発明の効果】
【００１５】
本発明に係る請求項１記載の耐震墓構造によれば、棹石を重ねる下段の石の縦溝に、中間部に嵌合溝を形成した連結棒の下部側が挿着され、この連結棒の上部側が、棹石に形成した縦溝の内側に接着剤で固定されたキャップの内側に着脱自在に挿着され、下段の石と棹石との間の隙間から金属板で形成されたストッパーを挿入して、この先端を前記キャップに形成したスリットを通して、連結棒の嵌合溝に着脱自在に嵌合して、連結棒とキャップを連結したので、横揺れや縦揺れの地震が発生しても、棹石の移動や倒壊を確実に防止することができる。またストッパーを引き抜くことにより、連結棒とキャップとの連結が解除されて、下段の石と棹石が簡単に分離、交換できるので、石材店で展示されている状態でも、墓地に設置する場合や、墓地を移転する場合でも、運搬や組立が容易である。
【００１６】
請求項２記載の耐震墓構造によれば、下段の石が上台または蓮華若しくはスリンで形成されているので、どのような組合わせの墓石構造でも、耐震性を保持しながら、容易に分離、交換、移転することができる。
【００１７】
請求項３記載の耐震墓構造によれば、金属製の連結棒の上部側外周に弾性材リングを取付けたので、横揺れの地震が発生しても、連結棒とキャップとの間の弾性材リングにより横揺れが吸収され、棹石の横移動や倒壊を防止することができる。
【００１８】
請求項４記載の耐震墓構造によれば、板状のストッパーが、その長手方向に沿った片側にＵ形の溝を形成してあるので、スリットの一方向から挿入して、嵌合溝にワンタッチで嵌合させることができ、高い剪断力により縦揺れの地震が発生しても破断することがない。
【００１９】
本発明に係る請求項５記載の耐震墓構造の組立て方法によれば、下段の石の縦溝に接着剤を充填して、中間部に嵌合溝を設けた金属製の連結棒を、その下部側を前記縦溝内に挿着して接着剤で固定してから、連結棒の上部側から中間部を囲むように筒状のキャップを被せ、更にこのキャップの上部に、接着剤を入れた破損可能な容器を載せて、ここを棹石に形成した縦溝の内側に挿入して、棹石を下降させることにより、接着剤容器が破損して接着剤が押出されて棹石の縦溝とキャップとの間の隙間に充填されて棹石とキャップが固定される。更に下段の石の縦溝に下部側が固定された連結棒の嵌合溝に、棹石に固定された筒状のキャップのスリットを通してストッパーを挿入することにより、嵌合溝とキャップが連結されるので、横揺れや縦揺れの地震が発生しても、棹石の移動や倒壊を確実に防止することができる。またストッパーを引き抜くことにより、連結棒とキャップとの連結が解除されて、下段の石と棹石が簡単に分離できるので、運搬や組立、交換が容易である。
【００２０】
また請求項６記載の耐震墓構造の組立て方法によれば、下段の石が上台または蓮華若しくはスリンで形成されていので、どのような組合わせの墓石構造にも適用することができる。
【００２１】
また請求項７記載の耐震墓構造の組立て方法によれば、連結棒の中間部に形成した嵌合溝の下部側に、外径がキャップの外径とぼぼ同じ大径部を形成し、この大径部の上面がキャップの底部を位置決めする段部となるので、連結棒の嵌合溝とキャップのスリットとの位置合わせが容易である。
【００２２】
また請求項８記載の耐震墓構造の組立て方法によれば、金属製の連結棒の底部に、高さ調整用のアジャスターが取付けられているので、下段の石の縦溝の深さが多少変化しても、連結棒の嵌合溝の位置を、下段の石の上面に合わせて簡単に調整することができる。
【発明を実施するための最良の形態】
【００２３】
以下本発明の実施の一形態を図１ないし図８を参照して詳細に説明する。図１において１は下段の石である上台、２はこの上台１の上部中心に形成した中空円筒状の縦溝、３はこの内側に挿着される連結棒である。この連結棒３は真鍮やステンレスなどの金属で形成され、下部側に大径部３Ａ、中間にこれよりやや外径の小さい中径部３Ｂが、この上部側に、上方に向かって外径が縮小したテーパー面１２を形成した小径部３Ｃが形成されている。また連結棒３を構成する大径部３Ａの下部側には複数本のリング状のくびれ部９が形成され、中径部３Ｂにはリング状の嵌合溝１０が形成されている。
【００２４】
連結棒３の長さは、上台１の縦溝２の深さと、図５に示す棹石５の底部中心に形成した縦溝６の深さの合計の深さよりやや短い長さに形成されている。更に図１に示すように、この連結棒３の下部側に大径部３Ａの底部中心にはねじ孔７が形成され、ここにボルト状の高さ調整用のアジャスター８が螺合して、縦溝２の深さに応じて連結棒３の位置を調整するようになっている。
【００２５】
また連結棒３の上部側には金属製の円筒状キャップ１５が被せられている。このキャップ１５は上部を閉塞し、下部を開口し、この外径は連結棒３の大径部３Ａとほぼ同じく形成され、キャップ１５の下部が、大径部３Ａの上面の段部１６に載置されるようになっている。
【００２６】
またキャップ１５の下部側には、図２に示すように前記リング状の嵌合溝１０に対向する両壁面にスリット１７、１７が形成されている。連結棒３の段部１６はキャップ１５を支持して、そのスリット１７とリング状の嵌合溝１０の位置を合わせる位置決めとなっている。またキャップ１５の下部側外周のスリット１７の上方には、図１に示すようにくびれ部９が形成され、ここに０リング１１が嵌められて係止突起１８が形成されている。
【００２７】
またキャップ１５の上部外周には、ガスケットや不織布、発泡プラスチックで形成されたリング状のパッド２４を上下に摺動自在に取付ける。このパッド２４はその外径が、前記棹石５の縦溝６の内径よりやや大きく形成されている。また図２に示すように上台１の縦溝２の周囲上面には四角形状の金属製スペーサー２５Ａと、これよりやや厚い弾性材で形成されたスペーサー２５Ｂが接着され、棹石５を上台１に重ねた時に、この間に隙間２６が形成されるようになっている。
【００２８】
次に耐震墓構造を組立てる方法について説明する。図１に示すように予め上台１の上面中央に縦溝２を加工し、これと対向する棹石５の底面中央に縦溝６を加工しておく。また、上台１に加工した縦溝２の周囲には、図２に示すように４個の鋼板で形成されたスペーサー２５Ａとこれより厚いゴムなどの弾性材で形成されたスペーサー２５Ｂを接着しておく。
【００２９】
次に図１に示すように、連結棒３を縦溝２内に挿入して、高さ調整用のアジャスター８で連結棒３の取付け位置を調整した後、縦溝２から一旦取り出す。この後、粘性のあるペースト状の接着剤２１を縦溝２内に充填してから、高さ調整した連結棒３を挿入して、連結棒３の下部側を固定する。この場合、連結棒３の下部側にはくびれ部９が形成され、更にボルト状のアジャスター８が取付けられているので、この凹凸部に接着剤２１が回り込んで、硬化してくると確実に固定される。
【００３０】
次に上台１から突出した連結棒３の上部側に円筒状のキャップ１５を被せて、この外周に、縦溝６の内径よりやや大きい外径のガスケットなどのリング状のパッド２４を嵌める。次いで筒状のキャップ１５のスリット１７、１７を通して、図３に示すように板状のストッパー２８を連結棒３の嵌合溝１０に嵌合させる。この板状のストッパー２８は例えばステンレス鋼のバネ板で形成され、その長手方向に沿った片側にＵ形の溝２９が形成されているので、ここをスリット１７、１７に貫通させて、Ｕ形の溝２９をリング状の嵌合溝１０に嵌合させる。
【００３１】
この後、図４に示すようにキャップ１５の上に、接着剤２１を所定量充填した紙製の箱２２を載せる。この後、図５に示すように棹石５を図示しないクレーンで吊り上げた状態から次第に下降させて、縦溝６内にキャップ１５の上に載せた紙製の箱２２を上部側から挿入していく。棹石５を下げていくと、紙製の箱２２の上部が縦溝６の天井面に押し潰されて内部の接着剤２１が流れ出し、縦溝６とキャップ１５との間の隙間に順次充填されていく。この時、縦溝６とキャップ１５との間の隙間にはパッド２４が上下に摺動自在に取付けられて隙間の下部が塞がれているので、接着剤２１の下降に伴ってパッド２４も下降して接着剤２１が流れ出すことがない。
【００３２】
更に棹石５を下げていくと、図６に示すように上台１の上に、スペーサー２５を介して重ねた状態となる。この結果、縦溝６とキャップ１５との間に接着剤２１が充填され、パッド２４で止められて、接着剤２１の流出が阻止された状態で、時間の経過と共に接着剤２１がパテ状に硬化してくる。接着剤２１が硬化してキャップ１５が縦溝６内に固定されたら、ステンレス製のバネ材で形成された板状のストッパー２８を、上台１と棹石５との間の隙間２６から横方向に引き出す。
【００３３】
この後、図７に示すように棹石５の幅より長さの短いステンレス製のバネ材で形成されたストッパー２８を隙間２６から差し込んで、Ｕ形の溝２９を連結棒３のリング状の嵌合溝１０内に嵌合させる。この後、棹石５の底面の周囲にパテを詰めて上台１との間の隙間２６を塞いで完成させる。
【００３４】
このように組立てた耐震墓構造は、接着剤２１が硬化すると、上台１の縦溝２内に固定した連結棒３と、棹石５の縦溝６内に固定したキャップ１５とは、ストッパー２８を介して連結された構造となる。この結果、横揺れの地震が発生しても、連結棒３を介して上台１と棹石５が連結されているので、棹石５の横移動や倒壊を確実に防止することができる。
【００３５】
また縦揺れの地震が発生しても、板状のストッパー２８により、キャップ１５のスリット１７、１７と、上台１に固定された連結棒３のリング状嵌合溝１０とが連結されているので、棹石５の浮き上がりが阻止される。また棹石５が僅かに浮き上がったとしてもストッパー２８はバネ材で形成されているので、その弾性により復帰して棹石５の倒壊を確実に防止することができる。
【００３６】
また石材店で展示されている状態では、図３に示すようにストッパー２８は長いものを取付け、棹石５の底面の周囲にはパテを充填しない状態にしておく。石材店で展示されている墓石が販売されて墓地に運搬する場合には、長いストッパー２８をスリット１７、１７から抜いて、上台１と棹石５との連結を解除する。次に図示しないクレーンで棹石５を持ち上げると、図８に示すようにキャップ１５が上昇して、連結棒３から外れ、棹石５だけが持ち上げられる。
【００３７】
このように上台１と棹石５を分解して墓地に運搬し、設置場所で上台１を設置してから上記と逆の手順で、棹石５を吊り下げてきて、上台１の上面から突出した連結棒３を、棹石５に取付けたキャップ１５の内側に挿入して上台１の上に重ねる。この後、上台１と棹石５との間の隙間２６から図７に示す短い板状のストッパー２８を差し込んで、キャップ１５のスリット１７、１７を貫通させて、Ｕ形の溝２９をリング状の嵌合溝１０に嵌合させて一体に連結する。この後、棹石５の底面の周囲にパテを詰めて上台１との間の隙間２６の周囲を塞いで雨水の浸入を防いで耐震構造を完成させる。
【００３８】
図９は本発明の他の実施の形態を示すもので、連結棒３は中径部３Ｂの上方にこれより外径の小さな小径部３Ｃが形成され、ここに複数個の０リング１１を取付けて、その上部を外径の大きな円形の押え部３０で押えたものである。
【００３９】
この構造では、連結棒３とキャップ１５との間に弾性のある０リング１１が介在しているので、横揺れの地震が発生した場合に、この０リング１１で揺れが吸収され、棹石５の横移動や倒壊を確実に防止することができる。
【００４０】
図１０ないし図１３は本発明の異なる他の実施の形態を示すもので、図１０に示すように棹石５を横にして、横になった縦溝６の開口部から所定量の接着剤２１を奥に注入する。またキャップ１５は、図１１に示すように外周に複数のくびれ部９が間隔をおいて形成され、一番下のくびれ部９に発泡プラスチックで形成された弾性のあるパッド２４が取付けられている。図４と同様に、粘性のあるペースト状の接着剤２１を縦溝２内に充填してから、嵌合溝１０が上台１の上面に位置するように高さ調整した連結棒３を挿入して、連結棒３の下部側を固定する。
【００４１】
次に上台１から突出した連結棒３の上部側に円筒状のキャップ１５を被せて、キャップ１５のスリット１７、１７を通して、板状のストッパー２８を連結棒３の嵌合溝１０に嵌合させる。この後、図１０に示すように横にして縦溝６に接着剤２１を注入した棹石５を立ててクレーンで吊り上げた状態から次第に下降させて、縦溝６内に連結棒３を上部側から挿入していく。棹石５を下げていくと、縦溝６の天井面に注入されていた接着剤２１が下方に押し下げられ、縦溝６とキャップ１５との間の隙間に順次充填されていき、図１２に示すようにキャップ１５は縦溝６内に固定される。
【００４２】
石材店で展示されている状態では、ストッパー２８により上台１と棹石５は一体に連結されているが、墓地に運搬する場合には、長いストッパー２８をスリット１７、１７から抜いて、上台１と棹石５との連結を解除する。次に図示しないクレーンで棹石５を持ち上げると、図１３に示すようにキャップ１５も上昇して、連結棒３から外れ、棹石５だけが持ち上げられる。
【００４３】
図１４は本発明の異なる他の実施の形態を示すもので、上台１の上に蓮華４を接着剤で一体に固定し、この蓮華４を、棹石５を重ねる下段の石としたもので、この場合には、蓮華４の上面中心に縦溝２を形成し、棹石５の縦溝６との間にキャップ１５を被せた連結棒３を挿着して、接着剤２１で固定し、連結棒３と棹石５をストッパー２８で連結したものである。なお蓮華４の代わりに角を丸めた四角平板状のスリンに置き換えた構造でも良い。
【００４４】
なお上記説明では、連結棒を断面円形の場合について説明したが、断面四角形など多角形状のものでも良く、またキャップも、これに合わせた断面多角形状のものでも良い。またストッパー２８は上記構造に限らず他の構造でも良く、また２枚形成してスリット１７、１７の両側から挿入する構造でも良い。
【００４５】
また接着剤２１は紙製の箱２２に充填した場合について示したが、紙製に限らず、薄いプラスチック容器など破損可能な容器であれば良く、またプラスチックの袋に所定量の接着剤２１を予め充填しておいたものを用いても良い。また本発明の耐震墓構造は上台１と竿石５との連結に限らず、上台１とこの下の中台との連結に適用することもできる。
【図面の簡単な説明】
【００４６】
【図１】本発明の実施の一形態による上台の縦溝に連結棒を挿入して接着剤で固定した状態を示す断面図である。
【図２】上台の上面から突出した連結棒に、キャップを取付けた状態を示す水平断面図である。
【図３】図２においてキャップのスリットにストッパーを挿着して、連結棒の嵌合溝に嵌合させた状態を示す水平断面図である。
【図４】図１に示すキャップの上部に接着剤を充填した箱を載せた状態を示す断面図である。
【図５】図４の状態からキャップに載せた接着剤の箱を棹石の縦溝に挿入して、棹石を下降させている状態を示す断面図である。
【図６】図５の状態から棹石を上台の上に重ねて、連結棒とキャップとをストッパーで連結した状態を示す断面図である。
【図７】図６のキャップのスリットに短いストッパーを挿着して、連結棒の嵌合溝に嵌合させた状態を示す水平断面図である。
【図８】ストッパーを引き抜いて、上台の連結棒から棹石を持ち上げて分離した状態を示す断面図である。
【図９】本発明の他の実施の形態による、棹石を上台の上に重ねて、０リングを取付けた連結棒とキャップとをストッパーで連結した状態を示す断面図である。
【図１０】本発明の異なる他の実施の形態による、棹石を横にして縦溝に接着剤を注入した状態を示す断面図である。
【図１１】縦溝に接着剤を注入した棹石を立てて下降させ、連結棒を縦溝に挿入している状態を示す断面図である。
【図１２】図１１の状態から棹石を上台の上に重ねて、連結棒とキャップとをストッパーで連結した状態を示す断面図である。
【図１３】ストッパーを引き抜いて、上台の連結棒から棹石を持ち上げて分離した状態を示す断面図である。
【図１４】本発明の異なる他の実施の形態による、蓮華と棹石を連結棒で連結した状態を示す墓石の正面図である。
【符号の説明】
【００４７】
１    上台
２    縦溝        
３    連結棒  
４    蓮華
５    棹石    
６    縦溝    
８    アジャスター    
１０  リング状の嵌合溝    
１１  ０リング    
１２  テーパー面
１５  キャップ      
１６  段部      
１７  スリット    
１８  係止突起    
２１  接着剤      
２２  箱    
２４  パッド    
２５Ａ  スペーサー    
２６  隙間    
２８  ストッパー    
２９  Ｕ形の溝  
【図１】
0004840941.tif 000002
【図２】
0004840941.tif 000003
【図３】
0004840941.tif 000004
【図４】
0004840941.tif 000005
【図５】
0004840941.tif 000006
【図６】
0004840941.tif 000007
【図７】
0004840941.tif 000008
【図８】
0004840941.tif 000009
【図９】
0004840941.tif 000010
【図１０】
0004840941.tif 000011
【図１１】
0004840941.tif 000012
【図１２】
0004840941.tif 000013
【図１３】
0004840941.tif 000014
【図１４】
0004840941.tif 000015